(57)【特許請求の範囲】
【請求項１】
伸縮性のある面状弾性体をシートフレームの枠内に張設することにより座面を形成する面状弾性体による座面を有するシートにおいて、
シートフレームを基枠とし、面状弾性体の周端縁を取り込んで一体成形した土手基部と、該土手基部を内部に収容させて中空立体形に形成された外皮と、該外皮の内部に装填されて外皮をクッション体として立体形に保形するパッド部とから、土手部をシートフレームの軸線上に一体に設けたことを特徴とする面状弾性体による座面を有するシート。
【発明の詳細な説明】
【０００１】
【発明の属する技術分野】
本発明は、伸縮性のある面状弾性体から座面を形成する面状弾性体による座面を有するシートに関するものである。
【０００２】
【従来の技術】
既に、所定の軸線形状に軸線曲げされた各辺部から略四辺形の枠状に形成されたシートフレームを備え、伸縮性のある面状弾性体をシートフレームの枠内に張設することにより座面を形成するシートは提案されている（ＵＳＰ５，０１３，０８９、同５，５３３，７８９、特表平８ー５０７９３５号）。
【０００３】
そのシートは座面を面状弾性体で形成するものであるから、通気性を付与できると共に、パッド材やテンションスプリング等の構成部材を省け、デザイン的にも通常のシートと異なる特殊性を持たせられる。また、面状弾性体が薄いため、シート全体の軽量化を図れてスペース効率もよい点で好ましい。
【０００４】
然し、先に提案されているシートでは土手部がほとんど設けられていないため、着座時のホールド性に欠ける。
【０００５】
【発明が解決しようとする課題】
本発明は、伸縮性のある面状弾性体をシートフレームの枠内に張設することにより座面を形成すると共に、座面より隆起する土手部を簡略な構成で設けて着座時のホールド性を良好に保ち、また、土手部を含むシート全体を堅牢なものに組立可能な面状弾性体による座面を有するシートを提供することを目的とする。
【０００６】
【課題を解決するための手段】
本発明に係る面状弾性体による座面を有するシートにおいては、シートフレームを基枠とし、面状弾性体の周端縁を取り込んで一体成形した土手基部と、該土手基部を内部に収容させて中空立体形に形成された外皮と、該外皮の内部に装填されて外皮をクッション体として立体形に保形するパッド部とから、土手部をシートフレームの軸線上に一体に設けることにより構成されている。
【０００７】
【発明の実施の形態】
以下、添付図面を参照して説明すると、図示実施の形態は図１で示すように車両用シートにおいてシートバックＢ並びにシートクッションＣの座面ｂ１，ｃ１を面状弾性体で形成すると共に、その座面ｂ１，ｃ１の周囲を取り囲む如く土手部ｂ２，ｃ２を設けるのに適用されている。
【０００８】
この車両用シートは、人体の着座姿勢に適合するよう所定の軸線形状に軸線曲げされた各辺部から略四辺形の枠状に形成されたシートフレームを基枠として組み立てられている。
【０００９】
そのシートは図２で示すシートバックＢで説明すると、座面ｂ１が伸縮性のある布地の面状弾性体１で形成されている。この面状弾性体１としては、例えば内装織物に使用される繊維状ヤーンからなる複数のストランドを交織した複数のエラストマーモノフィラメントで形成したものを用いるようにできる。また、１０００〜４０００デニールのエラストマーモノフィラメントを経糸また緯糸に用いることにより伸縮性を付与した織物または編物を用いるようにできる。
【００１０】
そのシートバックＢは、金属パイプのシートバックフレーム２（以下、「パイプフレーム」という。）を基枠に構成されている。また、図３で示すようにパイプフレーム２の軸線を内部に埋込み挿通すると共に、面状弾性体１を端末で一体に接合させて面状弾性体１を内側に張設支持する土手基部３０を樹脂成形し、そのシートバックフレーム２と一体の土手基部３０を外皮３１の内部に収容することにより座面ｂ１より膨出隆起する土手部ｂ２が設けられている。
【００１１】
土手基部３０は、ポリプロピレンやポリエチレンテレフタレート等の合成樹脂からパイプフレーム２の軸線を内部にインサートさせてインジェクション成形することによりパイプフレーム２の軸線に沿って一体に樹脂成形することができる。また、面状弾性体１は端末をクランプ等で挟んで全体を適度な張力で周囲より引張支持することによりインジェクション成形型に組み付け、その端末側を土手基部３０の表面側に敷き込んで土手基部３０をインジェクション成形することから土手基部３０と一体に接合させて内側に張設固定することができる。
【００１２】
外皮３１は、人体の上半身を着座姿勢で両側部から安定よく支持可能な隆起度合いを持って座面ｂ１より膨出隆起する中空立体形に樹脂成形されている。その外皮３１は軟質なゴム系の樹脂材料から形成し、例えば熱可塑性エラストマー等を用いてブロー成形することができる。この外皮３１をブロー成形するには、土手基部３０の内側縁より座面ｂ１の裏側に伸びる薄肉状のフランジ部３０ａを土手基部３０に設け、フランジ部３０ａの先端側３０ｂをブロー成形によるパリソンの食切り部として外皮３１を形成するとよい。
【００１３】
外皮３１は、土手基部３０を内部に収容すると共に、パッド部３２を内部に設けることによりクッション体として立体形に保形形成されている。このパッド部３２は、発泡ウレタン，ファイバー綿，発泡ビーズ等のパッド材をブロー成形穴より外皮３１の内部に装填させてパイプフレーム２の軸線を埋め込むことから、所定の隆起形状を有する土手部ｂ２としてパイプフレーム２の軸線上に一体に設けることができる。
【００１４】
このように構成するシートバックでは、人体の上半身を着座姿勢で両側部から安定よく支持可能な隆起度合いを持って面状弾性体１による座面ｂ１より膨出隆起する土手部ｂ２を設けることにより着座時のホールド性を良好に保つことができる。また、土手部ｂ２はパイプフレーム２を基枠として土手基部３０を内部に収容する中空立体形の外皮３１と、外皮３１の内部に装填されるパッド部３２とから、外皮３１をクッション体として立体形に保形させて所定の隆起形状を有するようパイプフレーム２の軸線上に一体に設けるものであるため、クッション性が良好で土手部ｂ２を含むシート全体を簡略な構成で堅牢に組み立てることができる。
【００１５】
それに加えて、パイプフレーム２には土手基部３０を一体に樹脂成形し、土手基部３０を受け座として面状弾性体１を端末で接合することにより面状弾性体１を内側に張設支持するから、面状弾性体１を適度なテンションでパイプフレーム２の内側に安定よく張設支持することができる。
【００１６】
外皮３１をブロー成形するときには、土手基部３０の内側縁より座面ｂ１の裏側に伸びる薄肉状のフランジ部３０ａを土手基部３０に設け、このフランジ部３０ａの先端寄り３０ｂをブロー成形によるパリソンの食切り部とするため、面状弾性体１をパリソンの食い切りに伴って傷付けるのを防ぐことができる。また、その薄肉状のフランジ部３０ａは座者の荷重で撓み変形するから使用に伴う面状弾性体１の傷付けも防ぐことができる。
【００１７】
上述した実施の形態の他に、土手部ｂ２には図４で示すように布地等の表皮材３３を外皮３１の座面ｂ１より隆起する湾曲面に被着することができる。この表皮材３３は、外皮３１をブロー成形する時に型内に挿置することにより一体に接合成形することができる。その表皮材３３を備えると、軟質なゴム系の樹脂材料から形成する外皮３１と共に、土手部ｂ２の触感を良好なものにできて装飾性も向上することができる。
【００１８】
上述した各部構成は、図５で示すシートクッションＣにも共通に適用することができる。このシートクッションＣでは、パイプフレーム２によるシートクッションフレームを基枠にし、そのパイプフレーム２の軸線を内部に埋め込んで面状弾性体１を内側に張設支持する土手基部３０を樹脂成形し、人体の大腿部から腰回りを着座姿勢で安定よく支持可能な隆起度合いを持って面状弾性体１による座面ｂ１より膨出隆起する外皮３１をパッド部３２でクッション体として保形することにより土手部ｂ２が設けられている。
【００１９】
【発明の効果】
以上の如く、本発明に係る面状弾性体による座面を有するシートに依れば、シートフレームを基枠とし、面状弾性体の周端縁を取り込んで一体成形した土手基部と、土手基部を内部に収容させて中空立体形に形成された外皮と、外皮の内部に装填されて外皮をクッション体として立体形に保形するパッド部とから、土手部をシートフレームの軸線上に一体に設けるため、人体を着座姿勢で安定よく支持可能な隆起度合いを持って面状弾性体による座面より膨出隆起する土手部を設けられて着座時のホールド性を良好に保て、また、シートフレームを基枠として土手基部を収容する土手部をシートフレームの軸線上に一体に設けることから、土手部を含むシート全体を簡略な構成で堅牢に組み立てられる。
【図面の簡単な説明】
【図１】  本発明に係る面状弾性体による座面を有するシートを示す外様斜視図である。
【図２】  図１のシートバックを示す部分切欠斜視図である。
【図３】  図２のシートバックをＡーＡ線で示す部分拡大断面図である。
【図４】  図２のシートバックの別の形態をＡーＡ線で示す部分拡大断面図である。
【図５】  図１のシートクッションを示す部分切欠斜視図である。
【符号の説明】
ｂ１，ｃ１      座面
ｂ２，ｃ２      土手部
１            面状弾性体
２            シートフレーム
３０          土手基部
３１          外皮
【図１】
0004009703.tif 000002
【図２】
0004009703.tif 000003
【図３】
0004009703.tif 000004
【図４】
0004009703.tif 000005
【図５】
0004009703.tif 000006